(57)【特許請求の範囲】
【請求項１】
インキを供給するインキ着ローラと、
前記インキ着ローラから外周面に装着された刷版にインキが受け渡される版胴と、
ウェブに接触して搬送すると共に前記版胴から受け渡されたインキを前記ウェブに転写するブランケット胴と、
を有する印刷機において、
前記ブランケット胴の外周辺で前記インキ着ローラとウェブ搬送位置との間に配置される第１ガードと、
前記ブランケット胴の外周辺で前記第１ガードと前記インキ着ローラとの間に配置される第２ガードと、
を有することを特徴とする紙巻防止装置。
【請求項２】
前記ウェブは、前記ブランケット胴により鉛直方向における上方に搬送され、前記第１ガード及び前記第２ガードは、前記ウェブと前記ブランケット胴との接触位置より前記ブランケット胴の回転方向における下流側に配置されることを特徴とする請求項１に記載の紙巻防止装置。
【請求項３】
前記ブランケット胴の上方で前記インキ着ローラと前記ウェブ搬送位置との間に鉛直方向に沿うガード板が配置され、前記第１ガードは、前記ガード板の下部から前記ウェブ搬送位置側に延出され、前記第２ガードは、前記ガード板の下部から前記インキ着ローラ側に延出されることを特徴とする請求項１または請求項２に記載の紙巻防止装置。
【請求項４】
前記第１ガードの先端部と前記ブランケット胴の外周面との間に第１隙間が設けられ、前記第２ガードの先端部と前記ブランケット胴の外周面との間に第２隙間が設けられ、前記第２隙間が前記第１隙間より小さく設定されることを特徴とする請求項３に記載の紙巻防止装置。
【請求項５】
前記第１ガードと前記第２ガードと前記ブランケット胴の外周面との間に空間部が設けられることを特徴とする請求項３または請求項４に記載の紙巻防止装置。
【請求項６】
前記第１ガードは、先端部側に向けて前記ブランケット胴の外周面との隙間が小さくなる第１傾斜面が設けられ、前記第２ガードは、先端部側に向けて前記ブランケット胴の外周面との隙間が小さくなる第２傾斜面が設けられることを特徴とする請求項５に記載の紙巻防止装置。
【請求項７】
前記第２ガードは、先端部が前記ブランケット胴の軸中心の上方に配置されることを特徴とする請求項１から請求項６のいずれか一項に記載の紙巻防止装置。
【請求項８】
前記第１ガード及び前記第２ガードは、前記ブランケット胴の外周面に対向する先端部が湾曲形状をなすことを特徴とする請求項１から請求項７のいずれか一項に記載の紙巻防止装置。
【請求項９】
前記第１ガード及び前記第２ガードは、上方から落下する異物を受け止める受け止め部が設けられることを特徴とする請求項１から請求項８のいずれか一項に記載の紙巻防止装置。
【請求項１０】
前記第１ガード及び前記第２ガードは、フレームに対して着脱自在に設けられることを特徴とする請求項１から請求項９のいずれか一項に記載の紙巻防止装置。
【請求項１１】
ニップ部によりウェブを挟持して上方に搬送する左右のブランケット胴と、
前記左右のブランケット胴にそれぞれ対接する左右の版胴と、
前記左右の版胴にそれぞれ対接してインキを供給する左右のインキ着ローラと、
請求項１から請求項１０のいずれか一項に記載の紙巻防止装置と、
を有することを特徴とする印刷機。
【請求項１２】
前記版胴の周長が印刷物の１頁の長さに設定され、前記ブランケット胴の周長が前記版胴の周長の整数倍に設定され、前記インキ着ローラは、前記版胴に対して複数対接して配置されることを特徴とする請求項１１に記載の印刷機。
【請求項１３】
前記左右の版胴は、前記左右のブランケット胴より鉛直方向における上方に配置され、前記左右のインキ着ローラは、前記左右の版胴より鉛直方向における上方に配置されることを特徴とする請求項１１または請求項１２に記載の印刷機。
【請求項１４】
前記左右のブランケット胴は、鉛直方向にずれて配置され、鉛直方向における上方に配置されるブランケット胴に対して前記紙巻防止装置が設けられることを特徴とする請求項１１から請求項１３のいずれか一項に記載の印刷機。
【請求項１５】
前記左右のブランケット胴と、前記左右の版胴と、前記左右のインキ着ローラからなる印刷ユニットが鉛直方向に沿って複数配置され、最も上方に位置する前記印刷ユニットに前記紙巻防止装置が設けられることを特徴とする請求項１１から請求項１４のいずれか一項に記載の印刷機。
【発明の詳細な説明】
【技術分野】
【０００１】
本発明は、複数のローラを用いてインキを版胴及びブランケット胴に供給し、ブランケット胴から印刷紙にインキを転写する印刷機において、断紙時にローラへの印刷紙の巻き付けを防止する紙巻防止装置、この紙巻防止装置を有する印刷機に関するものである。
【背景技術】
【０００２】
例えば、新聞用オフセット輪転印刷機は、複数の給紙ユニットを有する給紙装置と、複数の印刷ユニットを有する印刷機と、ウェブパス装置と、折機とから構成されている。そして、各給紙ユニットは、対応する印刷ユニットにウェブを供給すると、各印刷ユニットは、各ウェブに対して印刷を行う。ウェブパス装置は、印刷済のウェブを重ねてから縦断裁し、所定の順番に重ね合わせる。折機は、複数重ねられたウェブを縦折りしてから所定の長さで横裁断し、横折することで折帖としての新聞を形成する。
【０００３】
ところで、新聞用オフセット輪転印刷機にて、ウェブが給紙装置から折機に搬送される途中で、このウェブが破断すると、破断したウェブの端部などが印刷装置における各ローラに巻き付いてしまうことがある。このような問題を解決するものとして、例えば、下記特許文献に記載されたものがある。特許文献１に記載されたものは、紙切れ検出器が紙切れを検出すると、制御装置が印刷機を停止すると共に、インフィード装置のウェブ切断用カッタを作動し、給紙装置からのウェブの供給を止め、それと同時にウェブキャッチャを駆動ローラに押し当て、弛んだウェブがブランケット胴の外周面に巻き取られないように印刷装置ユニットから強制的にウェブを引っ張って排出するものである。
【０００４】
また、特許文献２に記載されたものは、最終印刷ユニットの出口側のインキローラ群に近接して、インキローラ群への紙の巻き付けを防止するガイド板を設けたものである。
【先行技術文献】
【特許文献】
【０００５】
【特許文献１】特開２００３−１１２４１０号公報
【特許文献２】実公昭５９−０３１４０２号公報
【発明の概要】
【発明が解決しようとする課題】
【０００６】
特許文献１では、紙切れが発生すると、印刷装置の下部の入口側でウェブを切断すると共に、印刷装置の上部の出口側でウェブキャッチャにより弛んだウェブを巻き取ることで、印刷装置内からウェブを排出している。ところが、端部が切断されたウェブを上方に引っ張って排出するとき、このウェブは、端部が自由状態であることから暴れが発生してブランケット胴に接触し、ブランケット胴に巻き付いてしまうおそれがある。特に、版胴に対して周長が倍となる倍胴のブランケット胴を適用した場合、インキ着ローラがブランケット胴に近接配置されることとなり、ウェブの端部がブランケット胴だけでなく、インキ着ローラにも巻き付いてしまうおそれがある。この場合、特許文献２のように、単に最終印刷ユニットの出口側のインキローラ群に近接してガイド板を設けただけでは、ウェブの端部がガイド板とブランケット胴との間をすり抜けてしまい、ブランケット胴やインキ着ローラへの紙の巻き付けを防止することは困難である。
【０００７】
本発明は、上述した課題を解決するものであり、紙切れ時における胴やローラへの紙の巻き付けを防止する紙巻防止装置及び印刷機を提供することを目的とする。
【課題を解決するための手段】
【０００８】
上述の目的を達成するための本発明の紙巻防止装置は、インキを供給するインキ着ローラと、前記インキ着ローラから外周面に装着された刷版にインキが受け渡される版胴と、ウェブに接触して搬送すると共に前記版胴から受け渡されたインキを前記ウェブに転写するブランケット胴と、を有する印刷機において、前記ブランケット胴の外周辺で前記インキ着ローラとウェブ搬送位置との間に配置される第１ガードと、前記ブランケット胴の外周辺で前記第１ガードと前記インキ着ローラとの間に配置される第２ガードと、を有することを特徴とするものである。
【０００９】
従って、第１ガードがインキ着ローラとウェブ搬送位置との間に配置されることで、紙切れ時に、第１ガードは、ウェブがインキ着ローラ側に入り込むのを抑制することができ、第２ガードが第１ガードとインキ着ローラとの間に配置されることで、第２ガードは、第１ガードを越えて入り込んだウェブがインキ着ローラに接触するのを抑制することができ、紙切れ時におけるブランケット胴やインキ着ローラへの紙の巻き付けを効果的に防止することができる。
【００１０】
本発明の紙巻防止装置では、前記ウェブは、前記ブランケット胴により鉛直方向における上方に搬送され、前記第１ガード及び前記第２ガードは、前記ウェブと前記ブランケット胴との接触位置より前記ブランケット胴の回転方向における下流側に配置されることを特徴としている。
【００１１】
従って、紙切れ時に、ウェブはブランケット胴の回転により上方に搬送されるため、第１ガードと第２ガードをウェブとブランケット胴との接触位置よりブランケット胴の回転方向における下流側に配置することで、各ガードは、ブランケット胴によるウェブの巻き込みを効果的に防止することができる。
【００１２】
本発明の紙巻防止装置では、前記ブランケット胴の上方で前記インキ着ローラと前記ウェブ搬送位置との間に鉛直方向に沿うガード板が配置され、前記第１ガードは、前記ガード板の下部から前記ウェブ搬送位置側に延出され、前記第２ガードは、前記ガード板の下部から前記インキ着ローラ側に延出されることを特徴としている。
【００１３】
従って、ガード板からウェブ搬送位置側に第１ガードが延出されることから、紙切れ時に、第１ガードは、ウェブがインキ着ローラ側に移動するのを抑制することができ、また、ガード板からインキ着ローラ側に第２ガードが延出されることから、第２ガードは、第１ガードを越えて入り込んだウェブがインキ着ローラに接触するのを抑制することができる。
【００１４】
本発明の紙巻防止装置では、前記第１ガードの先端部と前記ブランケット胴の外周面との間に第１隙間が設けられ、前記第２ガードの先端部と前記ブランケット胴の外周面との間に第２隙間が設けられ、前記第２隙間が前記第１隙間より小さく設定されることを特徴としている。
【００１５】
従って、第２ガードの先端部とブランケット胴の外周面との第２隙間を、第１ガードの先端部とブランケット胴の外周面との第１隙間より小さく設定することで、ウェブがインキ着ローラに接触するのを効果的に抑制することができる。
【００１６】
本発明の紙巻防止装置では、前記第１ガードと前記第２ガードと前記ブランケット胴の外周面との間に空間部が設けられることを特徴としている。
【００１７】
従って、第１ガードと第２ガードとブランケット胴の外周面との間に空間部を設けることで、紙切れ時に、第１ガードを越えて入り込んだウェブをこの空間部に押し込めることで、インキ着ローラ側へのウェブの移動を抑制することができる。
【００１８】
本発明の紙巻防止装置では、前記第１ガードは、先端部側に向けて前記ブランケット胴の外周面との隙間が小さくなる第１傾斜面が設けられ、前記第２ガードは、先端部側に向けて前記ブランケット胴の外周面との隙間が小さくなる第２傾斜面が設けられることを特徴としている。
【００１９】
従って、第１ガードに第１傾斜面を形成し、第２ガードに第２傾斜面を形成することで、紙切れ時に、第１ガードを越えて入り込んだウェブが各傾斜面に接触して座屈することで、ウェブをこの空間部に容易に押し込めることができ、インキ着ローラ側へのウェブの移動を抑制することができる。
【００２０】
本発明の紙巻防止装置では、前記第２ガードは、先端部が前記ブランケット胴の軸中心の上方に配置されることを特徴としている。
【００２１】
従って、第２ガードによりウェブのインキ着ローラ側への移動を適正に抑制することができる。
【００２２】
本発明の紙巻防止装置では、前記第１ガード及び前記第２ガードは、前記ブランケット胴の外周面に対向する先端部が湾曲形状をなすことを特徴としている。
【００２３】
従って、各ガードの先端部が湾曲形状をなすことで、ブランケット胴の外周面の損傷を抑制することができる。
【００２４】
本発明の紙巻防止装置では、前記第１ガード及び前記第２ガードは、上方から落下する異物を受け止める受け止め部が設けられることを特徴としている。
【００２５】
従って、飛散するインキミストが周辺部材に接触して液状になると、インキとして落下するが、受け止め部がこの落下するインキを受け止めることで、ブランケット胴の汚れを防止して印刷品質の低下を防止することができる。
【００２６】
本発明の紙巻防止装置では、前記第１ガード及び前記第２ガードは、フレームに対して着脱自在に設けられることを特徴としている。
【００２７】
従って、第１ガードと第２ガードを着脱自在とすることで、第１ガードと第２ガードの洗浄が可能となり、ブランケット胴の汚れを防止して印刷品質の低下を防止することができる。
【００２８】
また、本発明の印刷機は、ニップ部によりウェブを挟持して上方に搬送する左右のブランケット胴と、前記左右のブランケット胴にそれぞれ対接する左右の版胴と、前記左右の版胴にそれぞれ対接してインキを供給する左右のインキ着ローラと、前記紙巻防止装置と、を有することを特徴とするものである。
【００２９】
従って、紙切れ時に、第１ガードは、ウェブがインキ着ローラ側に入り込むのを抑制することができ、第２ガードは、第１ガードを越えて入り込んだウェブがインキ着ローラに接触するのを抑制することができ、紙切れ時におけるブランケット胴やインキ着ローラへの紙の巻き付けを効果的に防止することができる。
【００３０】
本発明の印刷機では、前記版胴の周長が印刷物の１頁の長さに設定され、前記ブランケット胴の周長が前記版胴の周長の整数倍に設定され、前記インキ着ローラは、前記版胴に対して複数対接して配置されることを特徴としている。
【００３１】
従って、ブランケット胴の周長が版胴の周長の整数倍に設定されると、インキ着ローラとブランケット胴との距離が短くなるが、第１ガードと第２ガードを設けることで、インキ着ローラへのウェブの巻き込みを適正に抑制することができる。
【００３２】
本発明の印刷機では、前記左右の版胴は、前記左右のブランケット胴より鉛直方向における上方に配置され、前記左右のインキ着ローラは、前記左右の版胴より鉛直方向における上方に配置されることを特徴としている。
【００３３】
従って、版胴をブランケット胴より上方に配置し、左右のインキ着ローラを版胴より上方に配置すると、インキ着ローラとブランケット胴との距離が短くなるが、第１ガードと第２ガードを設けることで、インキ着ローラへのウェブの巻き込みを適正に抑制することができる。
【００３４】
本発明の印刷機では、前記左右のブランケット胴は、鉛直方向にずれて配置され、鉛直方向における上方に配置されるブランケット胴に対して前記紙巻防止装置が設けられることを特徴としている。
【００３５】
従って、鉛直方向における上方側に配置されるブランケット胴は、インキ着ローラとブランケット胴との距離が短くなるが、第１ガードと第２ガードを設けることで、インキ着ローラへのウェブの巻き込みを適正に抑制することができる。
【００３６】
本発明の印刷機では、前記左右のブランケット胴と、前記左右の版胴と、前記左右のインキ着ローラからなる印刷ユニットが鉛直方向に沿って複数配置され、最も上方に位置する前記印刷ユニットに前記紙巻防止装置が設けられることを特徴としている。
【００３７】
従って、最も上方に位置する印刷ユニットは、ウェブが上方に引き抜かれるときに、端部が暴れるが、この印刷ユニットに第１ガードと第２ガードを設けることで、インキ着ローラへのウェブの巻き込みを適正に抑制することができる。
【発明の効果】
【００３８】
本発明の紙巻防止装置及び印刷機によれば、ブランケット胴の外周辺でインキ着ローラとウェブ搬送位置との間に配置される第１ガードと、ブランケット胴の外周辺で第１ガードとインキ着ローラとの間に配置される第２ガードとを設けるので、紙切れ時に、第１ガードは、ウェブがインキ着ローラ側に入り込むのを抑制することができ、第２ガードは、第１ガードを越えて入り込んだウェブがインキ着ローラに接触するのを抑制することができ、紙切れ時におけるブランケット胴やインキ着ローラへの紙の巻き付けを効果的に防止することができる。
【図面の簡単な説明】
【００３９】
【図１】図１は、本実施形態の紙巻防止装置を表す概略図である。
【図２】図２は、紙巻防止装置における要部概略図である。
【図３】図３は、第２ガードを表す正面図である。
【図４】図４は、第２ガードを表す上面図である。
【図５】図５は、新聞用オフセット輪転印刷機を表す概略構成図である。
【図６】図６は、新聞用オフセット輪転印刷機における印刷ユニットを表す概略構成図である。
【図７】図７は、印刷ユニットにおけるローラ配列を表す概略図である。
【発明を実施するための形態】
【００４０】
以下に添付図面を参照して、本発明に係る紙巻防止装置及び印刷機の好適な実施形態を詳細に説明する。なお、この実施形態により本発明が限定されるものではなく、また、複数の実施形態がある場合には、各実施形態を組み合わせて構成するものも含むものである。
【００４１】
図５は、新聞用オフセット輪転印刷機を表す概略構成図、図６は、新聞用オフセット輪転印刷機における印刷ユニットを表す概略構成図、図７は、印刷ユニットにおけるローラ配列を表す概略図である。
【００４２】
本実施形態の印刷機は、図５に示すように、新聞用オフセット輪転印刷機１０であって、給紙装置Ｒと、インフィード装置Ｉと、印刷装置Ｕと、ウェブパス装置Ｄと、折機Ｆとから構成されている。給紙装置Ｒは、複数（本実施形態では、７台）の給紙ユニットＲ１〜Ｒ７を有し、インフィード装置Ｉは、複数（本実施形態では、７台）のインフィードユニットＩ１〜Ｉ７を有し、印刷装置Ｕは、複数（本実施形態では、６台）の印刷ユニットＵ１〜Ｕ６を有し、ウェブパス装置Ｄは、複数（本実施形態では、２台）のウェブパスユニットＤ１，Ｄ２を有し、折機Ｆは、複数（本実施形態では、２台）の折ユニットＦ１，Ｆ２を有している。
【００４３】
この場合、印刷ユニットＵ１〜Ｕ６を６台として説明したが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。また、２つの折ユニットＦ１，Ｆ２を上下に並べて記載したが、実際には、紙面に直交する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００４４】
そして、本実施形態の新聞用オフセット輪転印刷機１０では、図示しない建屋の１階の床面上に給紙ユニットＲ１〜Ｒ７が設置され、２階にインフィードユニットＩ１〜Ｉ７が設置され、２階及び３階に印刷ユニットＵ１〜Ｕ６が設置され、３階から５階にウェブパス装置Ｄが設置され、また、２階、３階に折機Ｆが設置されている。
【００４５】
給紙装置Ｒにおいて、給紙ユニットＲ１〜Ｒ７は、ほぼ同様の構成をなし、ウェブ（印刷媒体）Ｗがロール状に巻かれた３つの巻取紙を保持する保持アーム１１を有し、この保持アーム１１を回動することで、巻取紙を給紙位置に回動することができる。また、この各給紙ユニットＲ１〜Ｒ７には、図示しない紙継装置が設けられており、給紙位置で繰り出されている巻取紙が残り少なくなると、この紙継装置により給紙位置にある巻取紙に対して、待機位置にある巻取紙を紙継することができる。
【００４６】
インフィード装置Ｉにおいて、インフィードユニットＩ１〜Ｉ７は、ほぼ同様の構成をなし、印刷装置Ｕの各印刷ユニットＵ１〜Ｕ６に送り込むウェブＷのテンションを調整することで、印刷装置Ｕを走行するウェブＷのテンションを適正値に安定して維持するようにしている。例えば、各インフィードユニットＩ１〜Ｉ７は、インフィードローラ、紙押えゴムローラ、ダンサローラ、ガイドローラなどを有している。そして、ダンサローラをウェブＷの張り方向に付勢することでウェブＷのテンションを適正にし、このダンサローラの揺動に応じてインフィードローラの周速を変更し、ウェブＷの適正なテンションを維持している。
【００４７】
なお、給紙装置Ｒからインフィード装置ＩまでのウェブＷのテンションは、給紙ユニットＲ１〜Ｒ７に設けられた図示しないブレーキ装置により行っており、給紙装置Ｒに設けられたテンション検出ローラの検出結果に基づいて、このブレーキ装置を制御している。また、印刷装置Ｕの下流側には、駆動源により駆動回転可能なドラグローラ１２が設けられており、このドラグローラ１２の周速やダンサローラの付勢力を制御することで、ウェブＷのテンションを調整している。
【００４８】
印刷装置Ｕにおいて、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。各印刷ユニットＵ１１〜Ｕ６２は、ほぼ同様の構成をなし、後述するが、インキ供給装置、版胴、ブランケット胴などを有している。本実施形態では、各印刷ユニットＵ１〜Ｕ６は、版胴の周長が新聞（印刷物）の１頁の縦の長さに設定され、ブランケット胴の周長が版胴の周長の整数倍に設定されなお、各印刷ユニットＵ１〜Ｕ６にて、版胴の周長（直径）とブランケット胴の周長（直径）を同じに設定してもよい。
【００４９】
なお、本実施形態では、印刷ユニットＵ１〜Ｕ６を、全て多色刷印刷ユニットにより構成したが、この構成に限定されるものではない。例えば、両面２色刷印刷ユニット、両面単色刷印刷ユニット、一面４色または単色刷印刷ユニットなど、印刷物に応じて適宜各種ユニットを組み合わせて使用すればよい。
【００５０】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられている。各ウェブパスユニットＤ１，Ｄ２は、ほぼ同様の構成をなし、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。
【００５１】
即ち、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００５２】
折機Ｆにて、２つの折ユニットＦ１，Ｆ２は、操作側と駆動側に配設されている。即ち、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙することができる。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙することができる。この場合、折機Ｆでは、折ユニットＦ１，Ｆ２が各ウェブパスユニットＤ１，Ｄ２からのウェブＷ１，Ｗ２を処理するだけでなく、各折ユニットＦ１，Ｆ２の一方がまとめて処理することもできる。
【００５３】
従って、本実施形態の新聞用オフセット輪転印刷機１０では、給紙装置Ｒの各給紙ユニットＲ１〜Ｒ７からそれぞれ供給された各ウェブＷは、インフィード装置Ｉの各インフィードユニットＩ１〜Ｉ７によりテンションが調整され、印刷装置Ｕの各印刷ユニットＵ１〜Ｕ６に供給される。この印刷装置Ｕにおける各印刷ユニットＵ１〜Ｕ６にて、各ウェブＷの両面に印刷が施される。そして、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００５４】
その後、折機Ｆでは、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙する。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙する。
【００５５】
ここで、印刷装置Ｕにおける印刷ユニットＵ１について詳細に説明する。なお、他の各印刷ユニットＵ２〜Ｕ６もほぼ同様の構成となっている。
【００５６】
印刷ユニットＵ１は、図６に示すように、４色印刷が可能となるように、Ｈ型のタワーユニットとなっている。この印刷ユニットＵ１は、ウェブＷの搬送方向が鉛直方向における上方となっており、本実施形態では、下から上に向かって、墨（Black）、藍（Cyan）、紅（Magenta）、黄（Yellow）ごとの４つのスタック２１，２２，２３，２４が配置されて構成されており、各スタック２１，２２，２３，２４は、それぞれ左右対称となるローラ配列となっている。なお、このスタック２１，２２，２３，２４の順序（色の順序）は、これに限定されるものではない。
【００５７】
即ち、印刷ユニットＵ１における各スタック２１，２２，２３，２４は、左右に対向してブランケット胴３１ａ，３１ｂ，３２ａ，３２ｂ，３３ａ，３３ｂ，３４ａ，３４ｂがウェブＷの搬送経路を挟んで対接可能であり、各ブランケット胴３１ａ，３１ｂ，３２ａ，３２ｂ，３３ａ，３３ｂ，３４ａ，３４ｂに版胴４１ａ，４１ｂ，４２ａ，４２ｂ，４３ａ，４３ｂ，４４ａ，４４ｂが対接している。そして、各スタック２１，２２，２３，２４は、各版胴４１ａ，４１ｂ，４２ａ，４２ｂ，４３ａ，４３ｂ，４４ａ，４４ｂに対して、インキ供給装置５１ａ，５１ｂ，５２ａ，５２ｂ，５３ａ，５３ｂ，５４ａ，５４ｂが設けられている。また、各版胴４１ａ，４１ｂ，４２ａ，４２ｂ，４３ａ，４３ｂ，４４ａ，４４ｂに対して、湿し装置６１ａ，６１ｂ，６２ａ，６２ｂ，６３ａ，６３ｂ，６４ａ，６４ｂが設けられている。
【００５８】
この場合、スタック２１，２３は、ブランケット胴３１ａ，３１ｂ，３３ａ，３３ｂと版胴４１ａ，４１ｂ，４３ａ，４３ｂがハの字形状に配列され、スタック２２，２４は、ブランケット胴３２ａ，３２ｂ，３４ａ，３４ｂと版胴４２ａ，４２ｂ，４４ａ，４４ｂが逆ハの字形状に配列されている。そして、各版胴４１ａ，４１ｂ，４２ａ，４２ｂ，４３ａ，４３ｂ，４４ａ，４４ｂにて、外周面に異なる絵柄を印刷する刷版（図示略）が軸方向、つまり、ウェブＷの幅方向に沿って並べて装着可能となっている。
【００５９】
ここで、最も上方側に配置されるスタック２４について詳細に説明する。なお、他のスタック２１，２２，２３もほぼ同様の構成である。
【００６０】
スタック２４は、図７に示すように、鉛直方向における上方向に沿ったウェブＷの搬送経路（ウェブ搬送位置）に対して、左側が表面印刷を行う表面印刷ユニットであり、右側が裏面印刷を行う裏面印刷ユニットである。
【００６１】
スタック２４は、ブランケット胴３４ａ，３４ｂと、版胴４４ａ，４４ｂと、インキ供給装置５４ａ，５４ｂと、湿し装置６４ａ，６４ｂを有している。このインキ供給装置５４ａ，５４ｂは、インキ元ローラ７１ａ，７１ｂと、インキつぼを構成するインキキー７２ａ，７２ｂと、インキ受渡しローラ７３ａ，７３ｂと、インキ練ローラ７４ａ，７４ｂと、インキ往復ローラ７５ａ，７５ｂと、インキ着練りローラ７６ａ，７６ｂと、インキ往復ローラ７７ａ，７７ｂと、２つのインキ着ローラ７８ａ，７８ｂ，７９ａ，７９ｂ，から構成されている。また、湿し装置６４ａ，６４ｂは、水ライダローラ８１ａ，８１ｂと、水往復ローラ８２ａ，８２ｂと、水着ローラ８３ａ，８３ｂとから構成されている。
【００６２】
本実施形態のインキ供給装置５４ａ，５４ｂは、インキつぼ方式であって、１つのインキ元ローラ７１ａ，７１ｂに対して複数のインキキー７２ａ，７２ｂが幅方向に沿って配置されて構成されている。そして、インキ元ローラ７１ａ，７１ｂ及びインキキー７２ａ，７２ｂは、予め設定された所定の流動性（粘度）を有するインキを貯留することができると共に、インキキー７２ａ，７２ｂを開放することで、所定量のインキを送り出すことができる。このインキ元ローラ７１ａ，７１ｂは、表面が金属により形成され、図示しないフレームに回転自在に支持され、後述する駆動装置により駆動回転可能となっている。
【００６３】
インキ受渡しローラ７３ａ，７３ｂは、インキ元ローラ７１ａ，７１ｂのインキを受け渡すものであって、表面が金属または樹脂により形成され、インキ元ローラ７１ａ，７１ｂに対接するようにフレームに回転自在に支持されている。インキ練ローラ７４ａ，７４ｂは、インキ受渡しローラ７３ａ，７３ｂから受け渡されたインキを練るものであって、表面がゴムにより形成され、インキ受渡しローラ７３ａ，７３ｂに対接するようにフレームに回転自在に支持されている。インキ往復ローラ７５ａ，７５ｂは、インキ練ローラ７４ａ，７４ｂにより練られたインキを幅方向に広げるものであって、表面が金属により形成され、インキ練ローラ７４ａ，７４ｂに対接するようにフレームに回転自在に支持されると共に、軸方向に往復移動可能となっている。
【００６４】
インキ着練りローラ７６ａ，７６ｂは、インキ往復ローラ７５ａ，７５ｂから受け渡されたインキを練るものであって、表面がゴムにより形成され、インキ往復ローラ７５ａ，７５ｂに対接するようにフレームに回転自在に支持されている。インキ往復ローラ７７ａ，７７ｂは、インキ練りローラ７６ａ，７６ｂにより練られたインキを幅方向に広げるものであって、表面が金属により形成され、インキ練ローラ７６ａ，７６ｂに対接するようにフレームに回転自在に支持されると共に、軸方向に往復移動可能となっている。
【００６５】
インキ着ローラ７８ａ，７８ｂ，７９ａ，７９ｂは、インキ往復ローラ７７ａ，７７ｂにより幅方向に広げられたインキを受け取って供給するものであって、表面がゴムにより形成され、インキ往復ローラ７７ａ，７７ｂに対接するようにフレームに回転自在に支持されている。そして、インキ受渡しローラ７３ａ，７３ｂとインキ往復ローラ７５ａ，７５ｂ，７７ａ，７７ｂは、図示しないギアにより同期駆動するように連結され、図示しない駆動装置により駆動回転可能となっている。また、インキ練ローラ７４ａ，７４ｂとインキ着ローラ７８ａ，７８ｂ，７９ａ，７９ｂは、駆動回転する各ローラとの摩擦接触による回転伝達により回転可能となっている。
【００６６】
また、水ライダローラ８１ａ，８１ｂは、ローラ間で受け渡される湿し水を練るものであり、表面がゴムにより形成され、隣接するローラに対接するようにフレームに回転自在に支持されている。また、水往復ローラ８２ａ，８２ｂは、隣接するローラ間で受け渡される湿し水を幅方向に広げるものであって、表面が金属により形成され、隣接するローラに対接するようにフレームに回転自在に支持されると共に、軸方向に往復移動可能となっている。水着ローラ８３ａ，８３ｂは、水往復ローラ８２ａ，８２ｂにより幅方向に広げられた湿し水を受け取って供給するものであって、表面がゴムにより形成され、水往復ローラ８２ａ，８２ｂに対接するようにフレームに回転自在に支持されている。そして、水往復ローラ８２ａ，８２ｂは、インキ往復ローラ７５ａ，７５ｂ，７７ａ，７７ｂと共にギアにより同期駆動するように連結され、駆動回転可能となっている。また、水ライダローラ８１ａ，８１ｂと水着ローラ８３ａ，８３ｂは、駆動回転する各ローラとの摩擦接触による回転伝達により回転可能となっている。
【００６７】
版胴４４ａ，４４ｂは、表面に図示しない刷版が巻き付けられる金属ローラであり、水着ローラ８３ａ，８３ｂの湿し水が刷版の非画線部に受け渡された後、インキ着ローラ７８ａ，７８ｂ，７９ａ，７９ｂのインキが刷版の画線部に受け渡される。この版胴４４ａ，４４ｂは、インキ着ローラ７８ａ，７８ｂ，７９ａ，７９ｂと水着ローラ８３ａ，８３ｂに対接するようにフレームに回転自在に支持されている。ブランケット胴３４ａ，３４ｂは、表面に図示しないブランケット（ゴム）が巻き付けられるゴムローラであり、版胴４４ａ，４４ｂから受け渡されたインキをウェブＷに転写するものであって、版胴４４ａ，４４ｂに対接するようにフレームに回転自在に支持されている。ここで、左右のブランケット胴３４ａ，３４ｂは、所定高さだけ上下方向にずれて配置されている。即ち、左右のブランケット胴３４ａ，３４ｂは、水平線に対して所定角度θだけ回動した位置に配置されることで、左側のブランケット胴３４ａが右側のブランケット胴３４ｂより所定高さだけ上方に位置している。そして、版胴４４ａ，４４ｂとブランケット胴３４ａ，３４ｂは、図示しないギアにより同期駆動するように連結され、駆動装置により駆動回転可能となっている。
【００６８】
この場合、版胴４４ａ，４４ｂに装着される刷版は、絵柄のある領域（画線部）と絵柄のない領域（非画線部）が形成され、画線部が親油性であり、非画線部が親水性である。そのため、版胴４４ａ，４４ｂに装着された刷版に対して、水着ローラ８３ａ，８３ｂから湿し水が供給された後に、インキ着ローラ７８ａ，７８ｂ，７９ａ，７９ｂからインキが供給されると、画線部のみにインキが転写され、非画線部に湿し水が転写される。そして、版胴４４ａ，４４ｂに対してブランケット胴３４ａ，３４ｂが対接して同期回転すると、版胴４４ａ，４４ｂから画線部にあるインキがブランケット胴３４ａ，３４ｂに転写される。
【００６９】
従って、スタック２４にて、インキキー７２ａ，７２ｂが所定開度に設定され、インキ元ローラ７１ａ，７１ｂが所定の速度で回転することで、調量されたインキがこのインキ元ローラ７１ａ，７１ｂを通してインキ受渡しローラ７３ａ，７３ｂに供給される。このインキ受渡しローラ７３ａ，７３ｂに供給されたインキは、インキ練ローラ７４ａ，７４ｂを通してインキ往復ローラ７５ａ，７５ｂに受け渡され、このインキ往復ローラ７５ａ，７５ｂが軸方向に往復移動することで、幅方向に広げられる。また、このインキ往復ローラ７５ａ，７５ｂで幅方向に広げられたインキは、インキ練ローラ７６ａ，７６ｂを通してインキ往復ローラ７７ａ，７７ｂに受け渡され、このインキ往復ローラ７７ａ，７７ｂが軸方向に往復移動することで、さらに幅方向に広げられる。
【００７０】
そして、水ライダローラ８１ａ，８１ｂは、湿し水を水往復ローラ８２ａ，８２ｂに付与し、この湿し水が水着ローラ８３ａ，８３ｂにより版胴４４ａ，４４ｂの版面に受け渡される。このとき、水着ローラ８３ａ，８３ｂの湿し水は、版胴４４ａ，４４ｂに装着された刷版の非画線部のみに転写される。一方、各インキ往復ローラ７７ａ，７７ｂにより幅方向に広げられたインキは、インキ着ローラ７８ａ，７８ｂ，７９ａ，７９ｂに供給され、このインキ着ローラ７８ａ，７８ｂ，７９ａ，７９ｂが回転することで版胴４４ａ，４４ｂの版面に受け渡される。このとき、インキ着ローラ７８ａ，７８ｂ，７９ａ，７９ｂ上のインキは、版胴４４ａ，４４ｂに装着された刷版の画線部のみに転写される。そして、この版胴４４ａ，４４ｂが回転することで、刷版の画線部にあるインキがブランケット胴３４ａ，３４ｂに受け渡される。
【００７１】
その後、ブランケット胴３４ａ，３４ｂの間のニップ部にウェブＷが通過するときに、その印圧により各ブランケット胴３４ａ，３４ｂに転写されたインキ（絵柄）がウェブＷの表裏に転写される。即ち、ウェブＷの表面に対して、ブランケット胴３４ａのインキが転写され、ウェブＷの裏面に対して、ブランケット胴３４ｂのインキが転写されることで、ウェブＷへの両面印刷が行われる。
【００７２】
このように構成された本実施形態の新聞用オフセット輪転印刷機１０は、図６に示すように、紙巻防止装置１００が設けられている。この紙巻防止装置１００は、紙切れ検出器１０１と、カッタ１０２と、ウェブキャッチャ１０３と、制御装置１０４と、ガード１０５とを有している。
【００７３】
紙切れ検出器１０１は、印刷ユニットＵ１の上方で、ドラグローラ１２より下流側に配置されており、ウェブＷのテンションを検出することでウェブＷの切断（紙切れ）を判定することができる。この紙切れ検出器１０１は、接触式または非接触式など種々の形式のものが適用可能であり、検出結果を制御装置１０４に出力する。カッタ１０２は、印刷ユニットＵ１の下方に配置されており、印刷ユニットＵ１に入り込むウェブＷを切断することができる。ウェブキャッチャ１０３は、印刷ユニットＵ１の上方で、ドラグローラ１２及び紙切れ検出器１０１より下流側に配置されている。このウェブキャッチャ１０３は、駆動ローラ１１１と紙押えローラ１１２を有しており、ウェブＷを上下から挟持するように、駆動ローラ１１１と紙押えローラで１１２が配置されている。そして、カッタ１０２とウェブキャッチャ１０３は、制御装置１０４により駆動可能となっている。
【００７４】
従って、何らかの原因でウェブＷが切断されると、ウェブＷのテンションが低下することから、紙切れ検出器１０１が紙切れを検知して検出信号を制御装置１０４に出力する。制御装置１０４は、印刷機１０を停止した後に、カッタ１０２を作動し、印刷ユニットＵ１の下方でウェブＷを切断すると同時に、ウェブキャッチャ１０３を作動し、紙押えローラ１１２を駆動ローラ１１１に押し当てることで、弛んだウェブＷを巻き取る。すると、印刷ユニットＵ１の入口側で切断されたウェブＷは、ウェブキャッチャ１０３に巻き取られることで、印刷ユニットＵ１内を高速で上方に引き上げられ、強制的に外部に排出される。
【００７５】
しかし、ウェブキャッチャ１０３により上方に引き上げられるウェブＷは、端部が切断された自由状態であることから、印刷ユニットＵ１内で暴れながら移動する。このとき、特に、最も上方に位置するスタック２４では、ウェブＷにおける端部の暴れが大きく、ブランケット胴３４ａ，３４ｂやインキ着ローラ７８ａ，７８ｂ（図７参照）に接触しやすい。紙切れが発生したときに、制御装置１０４が印刷機１０を停止しても、各胴や各ローラが直ぐに止まることができず、ウェブＷの端部がブランケット胴３４ａ，３４ｂやインキ着ローラ７８ａ，７８ｂに接触すると、このウェブＷがブランケット胴３４ａ，３４ｂやインキ着ローラ７８ａ，７８ｂに巻き付いてしまい、ウェブキャッチャ１０３との間で切断してしまう。すると、ウェブＷの一部がブランケット胴３４ａ，３４ｂやインキ着ローラ７８ａ，７８ｂに巻き付いたままとなり、ウェブＷの除去作業が困難となり、印刷作業に支障をきたしてしまう。
【００７６】
そのため、本実施形態の紙巻防止装置１００は、印刷ユニットＵ１のスタック２４にガード１０５が設けられている。このガード１０５は、紙切れが発生してウェブキャッチャ１０３がウェブＷを上方に引き上げて印刷ユニットＵ１から排出するとき、ウェブＷの端部がブランケット胴３４ａ，３４ｂやインキ着ローラ７８ａ，７８ｂに接触しないようにガードするものである。
【００７７】
図１に示すように、左右のブランケット胴３４ａ，３４ｂは、水平線に対して所定角度θだけ回動した位置に配置されることで、左側のブランケット胴３４ａが右側のブランケット胴３４ｂより所定高さだけ上方に配置されている。この左右のブランケット胴３４ａ，３４ｂは、対接部がニップ部となっており、このニップ部でウェブＷを挟持してインキを転写する。そして、ブランケット胴３４ａに対して上方側の外周面に版胴４４ａが対接し、版胴４４ａに対して上方側の外周面に２個のインキ着ローラ７８ａ，７９ａが対接している。
【００７８】
ガード１０５は、ブランケット胴３４ａの上方の外周辺で、インキ着ローラ７８ａとウェブ搬送位置（ウェブＷのニップ部）との間に配置されている。つまり、ガード１０５は、ウェブＷとブランケット胴３４ａとの接触位置（ニップ位置）よりブランケット胴３４ａの回転方向における下流側に配置されている。このガード１０５は、ブランケット胴３４ａの外周辺でインキ着ローラ７８ａとウェブ搬送位置との間に配置される第１ガード１２１と、ブランケット胴３４ａの外周辺で第１ガード１２１とインキ着ローラ７８ａとの間に配置される第２ガード１２２とから構成されている。
【００７９】
第１ガード１２１は、図１及び図２に示すように、ブランケット胴３４ａや版胴４４ａの軸方向に沿って、ウェブＷの幅を越えて配置されており、取付部１３１と、第１ガード１３２と、第２ガード１３３と、受け止め部１３４を有している。第１ガード１２１は、取付部１３１が鉛直方向に沿って配置され、印刷ユニットＵ１のフレーム１２３から垂下された支持部１２４に固定されている。そして、取付部１３１の下部に連続する第１ガード１３２と第２ガード１３３は、ウェブ搬送位置側に延出されている。第１ガード１３２は、ウェブ搬送位置側が水平線に対して下方を向いて傾斜することで、下面に傾斜面１３２ａが形成されている。第２ガード１３３は、ウェブ搬送位置側が水平線に対して更に下方を向いて傾斜することで、下面に傾斜面１３３ａが形成されている。第１ガード１２１は、第１ガード１３２及び第２ガード１３３により、先端部側に向けてブランケット胴３４ａの外周面との隙間が小さくなる第１傾斜面１３５（傾斜面１３２ａ，１３３ａ）を有し、第１ガード１２１の先端部とブランケット胴３４ａの外周面との間に第１隙間Ｓ１が設けられている。
【００８０】
受け止め部１３４は、第２ガード１３３の先端部が上方に折り返されると共に、幅方向の各端部とその間に所定間隔で複数のリブプレート１３６が固定されることで構成されている。この受け止め部１３４は、上方から落下する異物（例えば、インキの液滴）を受け止めて貯留するものである。第１ガード１２１は、ブランケット胴３４ａの外周面に対向する先端部が湾曲形状をなしている。
【００８１】
第２ガード１２２は、ブランケット胴３４ａや版胴４４ａの軸方向に沿って、ウェブＷの幅を越えて配置されており、取付部１４１と、ガード１４２と、受け止め部１４３を有している。第２ガード１２２は、取付部１４１が鉛直方向に沿って配置され、印刷ユニットＵ１のフレーム１２３から垂下された支持部１２４に第１ガード１２１と共にボルト１２５により締結されて固定されている。そして、取付部１４１の下部に連続するガード１４２は、インキ着ローラ７８ａ側に延出されている。ガード１４２は、インキ着ローラ７８ａ側が水平線に対して下方を向いて傾斜することで、下面に第２傾斜面１４４が形成されている。この第２傾斜面１４４は、ガード１４２により、先端部側に向けてブランケット胴３４ａの外周面との隙間が小さくなる傾斜面であって、第２ガード１２２の先端部とブランケット胴３４ａの外周面との間に第２隙間Ｓ２が設けられている。
【００８２】
受け止め部１４３は、ガード１４２の先端部が上方に折り返されると共に、幅方向の各端部とその間に所定間隔で複数のリブプレート１４５，１４６が固定されることで構成されている。この受け止め部１４３は、上方から落下する異物（例えば、インキの液滴）を受け止めて貯留するものである。第２ガード１２２は、ブランケット胴３４ａの外周面に対向する先端部が湾曲形状をなしている。
【００８３】
即ち、第２ガード１２２は、図２から図４に示すように、鉛直方向に沿う取付部１４１に対して傾斜したガード１４２が設けられ、先端部が上方に折り返されて受け止め部１４３が形成されている。取付部１４１は、一部に切欠部１４７が形成されることで軽量化が図られており、端部にだるま形状をなす取付孔１４８が形成されている。ガード１４２は、その先端部の中間部が折り返され、幅方向の各端部にリブプレート１４５が固定されることで受け止め部１４３が形成され、その間に所定間隔で複数のリブプレート１４６が固定されることで補強が施されている。
【００８４】
図１及び図２に示すように、この第２ガード１２２は、フレーム１２３に対して着脱自在に設けられている。第２ガード１２２は、取付部１４１がフレーム１２３から垂下された支持部１２４にボルト１２５により締結されていることから、このボルト１２５を弛緩することで取外すことができる。
【００８５】
第１ガード１２１と第２ガード１２２は、各取付部１３１，１４１がフレーム１２３から垂下された支持部１２４にボルト１２５により締結されており、各取付部１３１，１４１が本発明のガード板として機能する。そのため、第１ガード１２１と第２ガード１２２の各取付部１３１，１４１を共通化し、１個の取付部（ガード板）の下部に第１ガードと第２ガードを設けてもよい。
【００８６】
第２ガード１２２は、先端部がブランケット胴３４ａの軸中心の上方に配置されている。そして、第１ガード１２１は、先端部がウェブ搬送位置側の下方に延出することで第１傾斜面１３５が形成され、ブランケット胴３４ａの外周面との間に第１隙間Ｓ１が設けられている。一方、第２ガード１２２は、先端部がインキ着ローラ７８ａ側の下方に延出することで第２傾斜面１４４が形成され、ブランケット胴３４ａの外周面との間に第２隙間Ｓ２が設けられている。この場合、第２隙間Ｓ２が第１隙間Ｓ１より小さく設定されている。
【００８７】
第１ガード１２１の第１傾斜面１３５と第２ガード１２２の第２傾斜面１４４とブランケット胴３４ａの外周面との間に空間部Ａが設けられている。この空間部Ａは、台形断面形状をなしている。なお、第１ガード１２１に２個のガード１３２，１３３を設けたが、１個でもよく、または３個以上でもよく、湾曲形状としてもよい。また、第２ガード１２２に１個のガード１４２を設けたが、２個以上でもよく、湾曲形状としてもよい。
【００８８】
そのため、図６及び図７に示すように、ウェブＷが切断されると、紙切れ検出器１０１が紙切れを検知し、制御装置１０４は、印刷機１０を停止した後に、カッタ１０２により印刷ユニットＵ１の下方でウェブＷを切断すると同時に、ウェブキャッチャ１０３により印刷ユニットＵ１の上方で弛んだウェブＷが巻き取られる。すると、ウェブＷは、印刷ユニットＵ１の上方でウェブキャッチャ１０３に巻き取られることで、印刷ユニットＵ１内を高速で上方に引き上げられ、強制的に外部に排出される。
【００８９】
このとき、ウェブキャッチャ１０３により上方に引き上げられるウェブＷは、端部が切断された自由状態であることから、印刷ユニットＵ１内で暴れながら移動し、スタック２４にて、ブランケット胴３４ａ，３４ｂやインキ着ローラ７８ａ，７８ｂに接触し、巻き付いてしまうおそれがある。ところが、本実施形態では、このスタック２４にガード１０５が設けられている。
【００９０】
図１及び図２に示すように、ウェブＷの端部がブランケット胴３４ａ，３４ｂのニップを上方に移動して支持が解除されたとき、ウェブＷの端部がブランケット胴３４ａ側またはブランケット胴３４ｂ側に暴れる。このとき、ブランケット胴３４ｂは、インキ着ローラ７８ｂがウェブＷの搬送位置から離間しており、ウェブＷのインキ着ローラ７８ｂへの巻き込みのおそれは少ない。一方、ブランケット胴３４ａは、インキ着ローラ７８ａがウェブＷの搬送位置に近いことから、ウェブＷのインキ着ローラ７８ａへの巻き込みのおそれがある。
【００９１】
しかし、ウェブＷのインキ着ローラ７８ｂ側への移動は、第１ガード１２１により阻止される。即ち、第１ガード１２１は、先端部がウェブ搬送位置側に延出され、ブランケット胴３４ａの外周面との隙間が徐々に小さくなることから、くさび効果によりウェブＷのインキ着ローラ７８ｂ側への移動が阻止される。
【００９２】
また、ウェブＷが第１ガード１２１の先端部とブランケット胴３４ａの外周面との第１隙間Ｓ１を通ってインキ着ローラ７８ａ側に移動すると、ウェブＷのインキ着ローラ７８ａ側への移動は、第２ガード１２２により阻止される。即ち、第２ガード１２２は、先端部がインキ着ローラ７８ａ側に延出され、ブランケット胴３４ａの外周面との隙間が徐々に小さくなり、第１ガード１２１と第２ガード１２２とブランケット胴３４ａとの間に空間部Ａが設けられる。そのため、第１ガード１２１とブランケット胴３４ａとの第１隙間Ｓ１を通って空間部Ａに侵入したウェブは各傾斜面１３５，１４４に接触し、両者の摩擦抵抗により複雑に座屈し、空間部Ａに滞積される。すると、座屈したウェブＷは、第２ガード１２２の先端部とブランケット胴３４ａの外周面との第２隙間Ｓ２を通ることができず、ウェブＷのインキ着ローラ７８ｂ側への移動が阻止される。
【００９３】
このように本実施形態の紙巻防止装置にあっては、インキを供給するインキ着ローラ７８ａと、インキ着ローラ７８ａから外周面に装着された刷版にインキが受け渡される版胴４４ａと、ウェブＷに接触して搬送すると共に版胴４４ａから受け渡されたインキをウェブＷに転写するブランケット胴３４ａとを設けると共に、ブランケット胴３４ａの外周辺でインキ着ローラ７８ａとウェブ搬送位置との間に第１ガード１２１を配置すると共に、ブランケット胴３４ａの外周辺で第１ガード１２１とインキ着ローラ７８ａとの間に第２ガード１２２を配置している。
【００９４】
従って、第１ガード１２１がインキ着ローラ７８ａとウェブ搬送位置との間に配置されることで、紙切れ時に、第１ガード１２１は、ウェブＷがインキ着ローラ７８ａ側に入り込むのを抑制することができる。また、第２ガード１２２が第１ガード１２１とインキ着ローラ７８ａとの間に配置されることで、第２ガード１２２は、第１ガード１２１を越えて入り込んだウェブＷがインキ着ローラ７８ａに接触するのを抑制することができる。その結果、紙切れ時におけるブランケット胴３４ａやインキ着ローラ７８ａへのウェブＷの巻き付けを効果的に防止することができる。
【００９５】
本実施形態の紙巻防止装置では、ウェブＷは、ブランケット胴３４ａにより鉛直方向における上方に搬送され、第１ガード１２１及び第２ガード１２２は、ウェブＷとブランケット胴３４ａとの接触位置よりブランケット胴３４ａの回転方向における下流側に配置される。従って、紙切れ時に、ウェブＷはブランケット胴３４ａの回転により上方に搬送されるため、第１ガード１２１と第２ガード１２２をウェブＷとブランケット胴３４ａとの接触位置よりブランケット胴３４ａの回転方向における下流側に配置することで、各ガード１２１，１２２は、ブランケット胴３４ａによるウェブＷの巻き込みを効果的に防止することができる。
【００９６】
本実施形態の紙巻防止装置では、ブランケット胴３４ａの上方でインキ着ローラ７８ａとウェブ搬送位置との間に各ガード板１２１，１２２の取付部１３１，１４１を固定し、第１ガード１２１をウェブ搬送位置側に延出し、第２ガード１２２をインキ着ローラ７８ａ側に延出している。従って、紙切れ時に、第１ガード１２１は、くさび効果によりウェブＷがインキ着ローラ７８ａ側に移動するのを抑制することができ、また、第２ガード１２２は、第１ガード１２１を越えて入り込んだウェブＷがインキ着ローラ７８ａに接触するのを抑制することができる。
【００９７】
本実施形態の紙巻防止装置では、第１ガード１２１の先端部とブランケット胴３４ａの外周面との間に第１隙間Ｓ１を設け、第２ガード１２２の先端部とブランケット胴３４ａの外周面との間に第２隙間Ｓ２を設け、第２隙間Ｓ２を第１隙間Ｓ１より小さく設定している。従って、ウェブＷのインキ着ローラ７８ａ側への移動を、まず、第１ガード１２１により制限し、次に、第２ガード１２２により確実に阻止することとなり、ウェブＷのインキ着ローラ７８ａへの接触を効果的に抑制することができる。
【００９８】
本実施形態の紙巻防止装置では、第１ガード１２１と第２ガード１２２とブランケット胴３４ａとの間に空間部Ａを設けている。従って、紙切れ時に、第１ガード１２１を越えて入り込んだウェブＷをこの空間部Ａに押し込めることで、インキ着ローラ７８ａ側へのウェブＷの移動を抑制することができる。
【００９９】
本実施形態の紙巻防止装置では、第１ガード１２１は、先端部側に向けてブランケット胴３４ａの外周面との隙間が小さくなる第１傾斜面１３５が設けられ、第２ガード１２２は、先端部側に向けてブランケット胴３４ａの外周面との隙間が小さくなる第２傾斜面１４４が設けられている。紙切れ時に、第１ガード１２１を越えて入り込んだウェブＷが各傾斜面１３５，１４４に接触して座屈することで、ウェブＷをこの空間部Ａに容易に押し込めることができ、インキ着ローラ７８ａ側へのウェブＷの移動を抑制することができる。
【０１００】
本実施形態の紙巻防止装置では、第２ガード１２２の先端部をブランケット胴３４ａの軸中心の上方に配置している。従って、ブランケット胴３４ａの回転により上方に移動したウェブＷを第２ガード１２２により適正に排除することができる。
【０１０１】
本実施形態の紙巻防止装置では、第１ガード１２１及び第２ガード１２２は、ブランケット胴３４ａの外周面に対向する先端部が湾曲形状をなしている。従って、第１ガード１２１及び第２ガード１２２の先端部がブランケット胴３４ａの外周面に接触しても、ブランケット胴３４ａの外周面の損傷を抑制することができる。
【０１０２】
本実施形態の紙巻防止装置では、第１ガード１２１及び第２ガード１２２は、上方から落下する異物を受け止める受け止め部１３４，１４３が設けられている。従って、飛散するインキミストが周辺部材に接触して液状になると、インキとして落下するが、受け止め部１３４，１４３がこの落下するインキを受け止めることで、ブランケット胴３４ａの汚れを防止して印刷品質の低下を防止することができる。
【０１０３】
本実施形態の紙巻防止装置では、第１ガード１２１及び第２ガード１２２は、フレーム１２３に対して着脱自在に設けている。従って、第１ガード１２１と第２ガード１２２を着脱自在とすることで、受け止め部１３４，１４３にインキがたまると、取外して洗浄することができ、ブランケット胴３４ａの汚れを防止して印刷品質の低下を防止することができる。また、このとき、第１ガード１２１及び第２ガード１２２は、フレーム１２３にボルト締結であることから、第１ガード１２１及び第２ガード１２２の取付位置を容易に調整することができる。
【０１０４】
また、本実施形態の印刷機にあっては、新聞用オフセット輪転印刷機１０に紙巻防止装置１００を設けている。従って、紙切れ時におけるブランケット胴３４ａやインキ着ローラ７８ａへのウェブＷの巻き付けを効果的に防止することができる。
【０１０５】
本実施形態の印刷機にて、ブランケット胴３４ａの周長が版胴４４ａの周長の整数倍に設定されると、インキ着ローラ７８ａとブランケット胴３４ａとの距離が短くなる。また、ブランケット胴３４ａ，３４ｂと版胴４４ａ，４４ｂが逆ハの字状に配置されると、インキ着ローラ７８ａとブランケット胴３４ａとの距離が短くなる。この場合、紙巻防止装置１００を適用することで、インキ着ローラ７８ａへのウェブＷの巻き込みを適正に抑制することができる。
【０１０６】
なお、上述した実施形態では、ガード１０５をスタック２４におけるブランケット胴３４ａに対してだけ設けたが、ブランケット胴３４ｂに対して設けたり、スタック２２に対して設けたりしてもよい。更に、スタック２１，２３に対して設けてもよい。また、本実施形態では、左右のブランケット胴３４ａ，３４ｂの高さをずらして配置したが、左右のブランケット胴３４ａ，３４ｂの高さを同じ位置に配置してもよい。
【０１０７】
また、上述した実施形態では、２個のガード１２１，１２２の基端部を１か所に固定し、先端部をウェブ搬送位置側とインキ着ローラ側に延出したが、２個のガードの基端部を異なる位置に固定してもよい。また、ガードの数は、２個に限らず、３個以上設けてもよい。
【０１０８】
また、上述した実施形態で説明した印刷機１０は一例であって、各ユニットの構成や組み合わせに限定されるものではない。
【符号の説明】
【０１０９】
Ｒ  給紙装置
Ｒ１〜Ｒ７  給紙ユニット
Ｉ  インフィード装置
Ｉ１〜Ｉ７  インフィードユニット
Ｕ  印刷装置
Ｕ１〜Ｕ６，Ｕ１１〜Ｕ６２  印刷ユニット
Ｄ  ウェブパス装置
Ｄ１，Ｄ２  ウェブパスユニット
Ｆ  折機
Ｆ１，Ｆ２  折ユニット
１０  新聞用オフセット輪転印刷機
２１，２２，２３，２４  スタック
３１ａ，３１ｂ，３２ａ，３２ｂ，３３ａ，３３ｂ，３４ａ，３４ｂ  ブランケット胴
４１ａ，４１ｂ，４２ａ，４２ｂ，４３ａ，４３ｂ，４４ａ，４４ｂ  版胴
５１ａ，５１ｂ，５２ａ，５２ｂ，５３ａ，５３ｂ，５４ａ，５４ｂ  インキ供給装置
６１ａ，６１ｂ，６２ａ，６２ｂ，６３ａ，６３ｂ，６４ａ，６４ｂ  湿し装置
７８ａ，７８ｂ，７９ａ，７９ｂ  インキ着ローラ
１００  紙巻防止装置
１０１  紙切れ検出器
１０２  カッタ
１０３  ウェブキャッチャ
１０４  制御装置
１０５  ガード
１２１  第１ガード
１２２  第２ガード
１３１，１４１  取付部
１３２  第１ガード
１３３  第２ガード
１３４，１４３  受け止め部
１３５  第１傾斜面
１４２  ガード
１４４  第２傾斜面
Ｓ１  第１隙間
Ｓ２  第２隙間
Ａ  空間部
Ｗ  ウェブ
【図１】
0006278356.tif 000002
【図２】
0006278356.tif 000003
【図３】
0006278356.tif 000004
【図４】
0006278356.tif 000005
【図５】
0006278356.tif 000006
【図６】
0006278356.tif 000007
【図７】
0006278356.tif 000008